(57)【要約】【課題】レンズ素子間の光軸合わせの精度を維持するとともにゴーストやフレアの発生を効果的に抑制できるレンズ素子およびこのレンズ素子を含む撮像レンズユニットを提供する。【解決手段】撮像レンズユニット１が有する第４のレンズ素子４０は、レンズ部４１と、レンズ部の周囲のコバ部４２とを一体に有する。そして、コバ部４２には、第３のレンズ素子３０と位置合わせするための当接部としての環状段部４３が形成されており、環状段部４３に蒸着膜からなる遮光部４６が形成されている。【選択図】図１
2018146878.tif 000002
【特許請求の範囲】
【請求項１】
レンズ部と、前記レンズ部の周囲にコバ部を有するレンズ素子であって、前記コバ部には、他のレンズ素子と位置合わせするための当接部が形成されており、前記当接部を含むコバ部の領域に、蒸着膜からなる遮光部が形成されていることを特徴とするレンズ素子。
【請求項２】
前記遮光部の厚みは、５０ｎｍ以上であることを特徴とする請求項１に記載のレンズ素子。
【請求項３】
前記遮光部の透過率は５０％以下であり、反射率は２０％以下であることを特徴とする請求項１または請求項２に記載のレンズ素子。
【請求項４】
前記遮光部は、チタンもしくはチタン酸化物の蒸着膜またはクロムの蒸着膜で形成されていることを特徴とする請求項１から請求項３のいずれか１項に記載のレンズ素子。
【請求項５】
前記遮光部は、複数の蒸着膜を積層して構成されていることを特徴とする請求項１から請求項３のいずれか１項に記載のレンズ素子。
【請求項６】
前記遮光部は、チタンまたはチタン酸化物の蒸着膜とクロムの蒸着膜とが交互に積層された２層以上の積層構造を有することを特徴とする請求項５に記載のレンズ素子。
【請求項７】
前記クロムの蒸着膜の膜厚は、５０ｎｍ以上であることを特徴とする請求項６に記載のレンズ素子。
【請求項８】
前記チタンまたはチタン酸化物の蒸着膜の膜厚は、４００ｎｍ以上であることを特徴とする請求項６または請求項７に記載のレンズ素子。
【請求項９】
前記遮光部は、酸化シリコンまたはフッ化マグネシウムの蒸着膜で挟まれた構造であることを特徴とする請求項５から請求項８のいずれか１項に記載のレンズ素子。
【請求項１０】
前記酸化シリコンまたはフッ化マグネシウムの蒸着膜の膜厚は、２０ｎｍ以上であることを特徴とする請求項９に記載のレンズ素子。
【請求項１１】
複数のレンズ素子を有する撮像レンズユニットであって、少なくとも１つのレンズ素子は、請求項１から請求項１０のいずれか１項に記載のレンズ素子であることを特徴とする撮像レンズユニット。
【発明の詳細な説明】
【技術分野】
【０００１】
本発明は、レンズ素子および複数のレンズ素子を有する撮像レンズユニットに関する。
【背景技術】
【０００２】
撮像レンズユニットにおいて、良好な結像性能を妨げる要因の一つとして、レンズユニット内で反射された不要光によるゴーストやフレアの発生が挙げられる。そして、これらゴーストやフレアの発生を抑制するために、レンズ素子におけるレンズとして機能する部分（レンズ部）を囲む周辺部分（コバ部）に遮光膜を設ける技術が開示されている。
【０００３】
例えば、特許文献１には、複数のレンズを含み、それらのうちの一つはプラスチックレンズであり、そのプラスチックレンズの物体側の面または像側の面の光学有効部と、隣接するレンズと嵌合する部分との間に連接された連接部に光線を吸収するコーティングを施した撮像レンズが開示されている。特許文献２には、物体側より順に配置された正の屈折力を有する第１レンズ、負の屈折力を有する第２レンズを含む５枚以上のレンズからなり、第１レンズの像側面、第２レンズの物体側面および像側面のうち少なくとも１面の有効径外部に遮光膜を形成した撮像レンズが開示されている。
【先行技術文献】
【特許文献】
【０００４】
【特許文献１】中国実用新案登録公報２０５３３３９４７号
【特許文献２】特開２０１５−２２５１０２号公報
【発明の概要】
【発明が解決しようとする課題】
【０００５】
しかしながら、特許文献１の撮像レンズは、レンズ素子の光学有効部と、隣接するレンズと嵌合する部分との間に連接された連接部にコーティングが施されているが、隣接するレンズ素子との嵌合部にはコーティングが施されていない。そのため、嵌合部を不要光が透過してゴーストやフレアが生じるおそれがある。また、この嵌合部は、レンズ素子間の光軸合わせに有効な構造で、かつ光学性能に影響を及ぼす重要な構造になっている。特許文献１のように樹脂等を含む塗料を吹き付けて塗布する方法では、厚さが不均一になるため、嵌合部へのコーティングは光学性能を低下させるおそれがある。また、特許文献２の撮像レンズは、レンズ素子の光学有効部の周囲に形成されたフランジ部やフランジ側面のほぼ全面に光吸収性部材が設けられているので遮光性は優れるものの、レンズ素子同士を直接重ね合わせて光軸合わせを行う構造を有していない。したがって、レンズの基本特性と遮光性とを両立させた、結像性能の高い撮像レンズを得ることは困難であった。
【０００６】
そこで、本発明は、上述した課題に鑑みてなされたものであり、レンズ素子間の光軸合わせの精度を維持するとともにゴーストやフレアの発生を効果的に抑制できるレンズ素子およびこのレンズ素子を含む撮像レンズユニットを提供することを目的とする。
【課題を解決するための手段】
【０００７】
本発明の一態様に係るレンズ素子は、レンズ部と、レンズ部の周囲にコバ部を有するレンズ素子であって、コバ部には、他のレンズ素子と位置合わせするための当接部が形成されており、当接部を含むコバ部の領域に、蒸着膜からなる遮光部が形成されていることを特徴とする。
【０００８】
本発明によれば、当接部を含むコバ部の領域に、均一な厚さの蒸着膜からなる遮光部が形成されているので、レンズ素子の位置合わせ精度を低下させることなく、当接部を透過する不要光を遮ることができる。また、遮光部に蒸着工法を採用することで、量産性を高めることができる。
【０００９】
本発明においては、遮光部の厚みは、５０ｎｍ以上であることが好ましい。このようにすることで、遮光性を効果的に確保できる。
【００１０】
本発明においては、遮光部の透過率は５０％以下であり、反射率は２０％以下であることが好ましい。このようにすることで、遮光性を確保するとともに光の反射を抑制して、結像性能の低下を効果的に抑制できる。
【００１１】
本発明においては、遮光部は、チタンもしくはチタン酸化物の蒸着膜またはクロムの蒸着膜を有することが好ましい。このようにすることで、遮光性とコストとのバランスを取ることができる。
【００１２】
本発明においては、遮光部は、複数の異なった材料の蒸着膜を積層して構成されていることが好ましい。複数の特性の異なる蒸着膜を積層することで、互いの特性を補い合い、特に高温環境下における膜割れや剥離等への信頼性を高めるとともに、より遮光性能の高い遮光部を構成することができる。
【００１３】
本発明においては、遮光部は、チタンまたはチタン酸化物の蒸着膜とクロムの蒸着膜とが交互に積層された２層以上の積層構造を有することが好ましい。このようにすることで、信頼性と遮光性とを両立させた遮光部を構成することができる。
【００１４】
本発明においては、クロムの蒸着膜の膜厚は５０ｎｍ以上であることが好ましい。このようにすることで、遮光性を効果的に確保できる。
【００１５】
本発明においては、チタンまたはチタン酸化物の蒸着膜の膜厚は４００ｎｍ以上であることが好ましい。このようにすることで、遮光性を効果的に確保できる。
【００１６】
本発明においては、遮光部は、酸化シリコンまたはフッ化マグネシウムの蒸着膜で挟まれた構造であることが好ましい。このようにすることで、遮光部における光の反射を効果的に抑制することができる。
【００１７】
本発明においては、酸化シリコンまたはフッ化マグネシウムの蒸着膜の膜厚は２０ｎｍ以上であることが好ましい。このようにすることで、遮光部における光の反射をより効果的に抑制することができる。
【００１８】
本発明の他の一態様の撮像レンズユニットは、複数のレンズ素子を有する撮像レンズユニットであって、少なくとも１つのレンズ素子は、上述した遮光部を備えるレンズ素子であることを特徴とする。
【００１９】
本発明によれば、少なくとも１つのレンズ素子は、隣接するレンズとの当接部を含むコバ部の領域に、均一な厚さの蒸着膜からなる遮光部が形成されているので、レンズ素子間の位置合わせ精度を低下させることなく、当接部を透過する不要光を遮ることができる。
【発明の効果】
【００２０】
本発明によれば、レンズ素子間の光軸合わせの精度を維持するとともにゴーストやフレアの発生を効果的に抑制できるレンズ素子およびこのレンズ素子を含む撮像レンズユニットを実現することができる。
【図面の簡単な説明】
【００２１】
【図１】本発明の一実施形態の撮像レンズユニットの断面図である。
【図２】図１の撮像レンズユニットが有するレンズアセンブリ部の分解図である。
【図３】レンズ素子の遮光部の構成を模式的に示す図である。
【図４】撮像レンズユニットにおける光路の一例を示す図である。
【発明を実施するための形態】
【００２２】
以下、本発明の一実施形態に係る撮像レンズユニットについて図面を参照しながら詳細に説明する。
【００２３】
図１は、本発明の一実施形態の撮像レンズユニットの断面図である。図２は、図１の撮像レンズユニットのレンズアセンブリ部の分解図である。なお、図１および図２において、各レンズ素子の断面のハッチングは省略している。図３は、レンズ素子の遮光部の構成を模式的に示す図である。図４は、撮像レンズユニットにおける光路の一例を示す図であり、（ａ）および（ｂ）は本実施形態の場合を示し、（ｃ）および（ｄ）は、遮光部を有しないこと以外は（ａ）および（ｂ）と同一の構造の場合を示す。なお、以下の説明において、便宜上、図１および図２の左側を前方（または物体側）、右側を後方（または像側）と表現しているが、これは各構成要素の相対的な位置関係を示すものであって、絶対的な位置関係を示すものではない。
【００２４】
図１に示すように、本実施形態の撮像レンズユニット１は、例えば、携帯情報端末のカメラに搭載され、撮像センサＳや赤外線カットフィルターＦと組み合わされて用いられる。
【００２５】
撮像レンズユニット１は、鏡筒２と、鏡筒２に収容されたレンズアセンブリ部７と、を有している。
【００２６】
鏡筒２は、不透光性の合成樹脂等で構成されており、前後を開口した円筒状の周壁部３と、周壁部３の前方端部を塞ぐように設けられかつ中央に開口４ａが形成された前壁部４と、を一体に有している。前壁部４における後方を向く受け面４ｂは、光軸Ｐに対して垂直となるように形成されている。受け面４ｂには、後述する第１のレンズ素子１０が当接される。周壁部３の内周面の後方には、後述するレンズアセンブリ部７を鏡筒２の内側に収容した状態で保持するための環状の固定部材５が接着剤などにより固定される。
【００２７】
レンズアセンブリ部７は、前方から後方に向けて順に第１のレンズ素子１０、第２のレンズ素子２０、第３のレンズ素子３０、第４のレンズ素子４０および第５のレンズ素子５０が重ねられて構成され、第２のレンズ素子２０と第３のレンズ素子３０の間、第３のレンズ素子３０と第４のレンズ素子４０の間、第４のレンズ素子４０と第５のレンズ素子５０の間に遮光板６０が配置されている。本実施形態において、第１のレンズ素子１０、第２のレンズ素子２０、第３のレンズ素子３０、第４のレンズ素子４０および第５のレンズ素子５０は、プラスチックで構成されているが、一部または全部がガラスで構成されていてもよい。また、本実施形態では、５枚のレンズ素子を有する構成であるが、本発明は、２枚以上のレンズ構成であれば適用可能である。
【００２８】
第１のレンズ素子１０は、最も前方に配置されており、物体側および像側をともに凸面とするレンズ部１１と、そのレンズ部１１の周縁に位置するコバ部１２と、を一体に有している。コバ部１２の物体側には、鏡筒２の受け面４ｂと当接する、光軸Ｐに対して垂直となるように形成された当接面１３が形成されている。コバ部１２の像側には、光軸Ｐを中心とする内向きの円錐状傾斜面１４ａおよび円錐状傾斜面１４ａの外周縁に連接された像側を向く円環状平面１４ｂからなる環状段部１４が形成されている。
【００２９】
第２のレンズ素子２０は、第１のレンズ素子１０の像側に隣接して配置されており、物体側を凸面、像側を凹面とするレンズ部２１と、そのレンズ部２１の周縁に位置するコバ部２２と、を一体に有している。コバ部２２の物体側には、光軸Ｐを中心とする外向きの円錐状傾斜面２３ａおよび円錐状傾斜面２３ａの外周縁に連接された物体側を向く円環状平面２３ｂからなる環状段部２３が形成されている。円錐状傾斜面２３ａは、第１のレンズ素子１０の円錐状傾斜面１４ａと当接され、円環状平面２３ｂは、第１のレンズ素子１０の円環状平面１４ｂと当接されることで、第１のレンズ素子１０と第２のレンズ素子２０の中心が、光軸Ｐ上で一致するように位置合わせされる。コバ部２２の像側には、光軸Ｐを中心とする内向きの円錐状傾斜面２４ａおよび円錐状傾斜面２４ａの外周縁に連接された像側を向く円環状平面２４ｂからなる環状段部２４が形成されている。
【００３０】
第３のレンズ素子３０は、第２のレンズ素子２０の像側に隣接して配置されており、光軸近傍で物体側と像側とをともに凹面とする両面が非球面形状のレンズ部３１と、そのレンズ部３１の周縁に位置するコバ部３２と、を一体に有している。コバ部３２の物体側には、光軸Ｐを中心とする外向きの円錐状傾斜面３３ａおよび円錐状傾斜面３３ａの外周縁に連接された物体側を向く円環状平面３３ｂからなる環状段部３３が形成されている。円錐状傾斜面３３ａは、第２のレンズ素子２０の円錐状傾斜面２４ａと当接され、円環状平面３３ｂは、第２のレンズ素子２０の円環状平面２４ｂと当接されることで、第２のレンズ素子２０と第３のレンズ素子３０の中心が、光軸Ｐ上で一致するように位置合わせされる。コバ部３２の像側には、光軸Ｐを中心とする内向きの円錐状傾斜面３４ａおよび円錐状傾斜面３４ａの外周縁に連接された像側を向く円環状平面３４ｂからなる環状段部３４が形成されている。
【００３１】
第４のレンズ素子４０は、第３のレンズ素子３０の像側に隣接して配置されており、物体側を凹面、像側を凸面とするレンズ部４１と、そのレンズ部４１の周縁に位置するコバ部４２と、を一体に有している。コバ部４２の物体側には、光軸Ｐを中心とする外向きの円錐状傾斜面４３ａおよび円錐状傾斜面４３ａの外周縁に連接された物体側を向く円環状平面４３ｂからなる環状段部４３が形成されている。また、第４のレンズ素子４０は、環状段部４３（すなわち、円錐状傾斜面４３ａおよび円環状平面４３ｂ）に遮光部４６を有している。円錐状傾斜面４３ａは、遮光部４６を介して第３のレンズ素子３０の円錐状傾斜面３４ａと当接され、円環状平面４３ｂは、遮光部４６を介して第３のレンズ素子３０の円環状平面３４ｂと当接されることで、第３のレンズ素子３０と第４のレンズ素子４０の中心が、光軸Ｐ上で一致するように位置合わせされる。すなわち、環状段部４３は、他のレンズ素子である第３のレンズ素子３０と位置合わせするための当接部であり、当該環状段部４３には、蒸着膜からなる遮光部４６が形成されている。また、コバ部４２の像側には、光軸Ｐを中心とする内向きの円錐状傾斜面４４ａおよび円錐状傾斜面４４ａの外周縁に連接された像側を向く円環状平面４４ｂからなる環状段部４４が形成されている。
【００３２】
第５のレンズ素子５０は、第４のレンズ素子４０の像側に隣接して配置されており、光軸近傍において物体側を凸面、像側を凹面とする両面非球面のレンズ部５１と、そのレンズ部５１の周縁に位置するコバ部５２と、を有している。コバ部５２の物体側には、光軸Ｐを中心とする外向きの円錐状傾斜面５３ａおよび円錐状傾斜面５３ａの外周縁に連接された物体側を向く円環状平面５３ｂとからなる環状段部５３が形成されている。円錐状傾斜面５３ａは、第４のレンズ素子４０の円錐状傾斜面４４ａと当接され、円環状平面５３ｂは、第４のレンズ素子４０の円環状平面４４ｂと当接されることで、第４のレンズ素子４０と第５のレンズ素子５０の中心が光軸Ｐ上で一致するように位置合わせされる。コバ部４２の像側には、光軸Ｐを中心とする外向きの円錐状傾斜面５４ａおよび円錐状傾斜面５４ａの外周縁に連接された像側を向く円環状平面５４ｂとからなる環状段部５４が形成されている。環状段部５４には、鏡筒２の周壁部３の内周面に固定された固定部材５が当接される。
【００３３】
また、撮像レンズユニット１内に配置された複数の遮光板６０は、不透光性の合成樹脂、または遮光加工が施された金属で構成された円環平板状の部材である。本実施形態においては、遮光板６０は、第２のレンズ素子２０と第３のレンズ素子３０との間、第３のレンズ素子３０と第４のレンズ素子４０との間、および、第４のレンズ素子４０と第５のレンズ素子５０との間にそれぞれ１枚配置されている。
【００３４】
上述した第１〜第５のレンズ素子のレンズ部およびコバ部の表面には、光の反射を防止するためのＡＲコート（反射防止膜）が施されている。なお、遮光部を備える第４のレンズ素子４０におけるＡＲコートは、遮光部４６を形成する前に施してもよいし、後に施してもよい。
【００３５】
ここで、第４のレンズ素子４０に形成された遮光部４６について詳細に説明する。遮光部４６は、複数の蒸着膜を積層して構成されている。具体的には、図３（ａ）に示すように、遮光部４６は、コバ部４２（具体的には、円錐状傾斜面４３ａおよび円環状平面４３ｂ）側から順に、二酸化チタン（ＴｉＯ２）の蒸着膜であるチタン層４６１ａと、クロム（Ｃｒ）の蒸着膜であるクロム層４６１ｂと、二酸化チタンの蒸着膜であるチタン層４６１ｃとを積層して構成されている。クロム層４６１ｂは、遮光性が比較的高いが、単層のみでは高温高湿の環境下で膜割れしやすい特性を有している。一方、チタン層４６１ａ、４６１ｃは、同じ膜厚で形成した場合、クロム層４６１ｂと比較して遮光性は劣り、さらに単層のみでは高温高湿の環境下で膜が剥離しやすい特性を有している。図３（ａ）に示すようにチタン層４６１ａ、４６１ｃとクロム層４６１ｂとを交互に積層した３層構造にすることで、割れ、剥離に強い遮光部４６が得られる。特に、高温高湿環境下で使用する場合には、このような積層構造を採ることで信頼性の課題を解決することができる。
【００３６】
または、上記遮光部４６に代えて、図３（ｂ）に示す遮光部４６Ａを採用してもよい。この遮光部４６Ａは、上記遮光部４６を間に挟むように酸化シリコン（ＳｉＯ２）の蒸着膜であるシリコン層４６２ａ、４６２ｂを積層した５層構造で構成されている。すなわち、遮光部４６Ａは、チタン層とクロム層が交互に積層された３層からなる構造をさらにシリコン層４６２ａ、４６２ｂで挟んだ５層構造である。シリコン層４６２ａ、４６２ｂは、遮光部４６Ａに進入した光（光線）の反射を効果的に抑制する。
【００３７】
または、上記遮光部４６に代えて、図３（ｃ）に示す遮光部４６Ｂを採用してもよい。この遮光部４６Ｂは、上記遮光部４６と同様にしてチタン層４６１ａ、クロム層４６１ｂ、チタン層４６１ｃ、クロム層４６１ｄおよびチタン層４６１ｅが交互に積層された５層構造であり、さらに、これら５層を挟むようにシリコン層４６２ａ、４６２ｂとを積層した７層構造で構成されている。このように、蒸着膜を増やすことによって、より遮光性の向上が図られる。なお、この構成において、中央のチタン層４６１ｃは、ＴｉＯ２の蒸着膜に代えてＴｉＯ３の蒸着膜を採用してもよい。
【００３８】
なお、遮光部４６は、使用する環境に応じて、チタンもしくはチタン酸化物またはクロムからなる単層の蒸着膜で構成してもよいし、チタン層とクロム層とを交互に積層した２層以上の複数の蒸着膜で構成してもよい。また、遮光部４６は、レンズの光学有効部を除くコバ部４２に全体的に形成されていてもよい。このような遮光部は、上記第４のレンズ素子４０の環状段部４３に限らず、第１のレンズ素子１０の環状段部１４、第２のレンズ素子２０の環状段部２３、２４、第３のレンズ素子３０の環状段部３３、３４、第４のレンズ素子４０の環状段部４３、４４および第５のレンズ素子５０環状段部５３のいずれかまたは全てに設けられていてもよい。このような遮光部は、レンズアセンブリ部７の構造的な要因で不要光が透過する箇所に選択的に設けることで、ゴーストやフレアの抑制に効果的に寄与する。
【００３９】
本実施形態において、遮光部４６の厚みは、５０ｎｍ以上であることが好ましい。特に、クロム層４６１ｂの膜厚は５０ｎｍ以上であることが好ましく、チタン層４６１ａ、４６１ｃの膜厚は４００ｎｍ以上であることが好ましい。このようにすることで、遮光性を効果的に確保することができる。また、遮光部４６の透過率は５０％以下であり、反射率は２０％以下であることが好ましい。このようにすることで、遮光性を確保するとともに光の反射を抑制して、結像性能の低下を効果的に抑制できる。また、チタン層として、チタン（Ｔｉ）またはチタン酸化物（ＴｉＯ３）の蒸着膜を採用してもよい。シリコン層４６２ａ、４６２ｂに代えて、フッ化マグネシウムの蒸着膜（ＭｇＦ２）からなる層を採用してもよい。
【００４０】
次に、上述した本実施形態における作用効果について、図４を参照して説明する。
【００４１】
図４（ａ）に示すように、本実施形態の撮像レンズユニット１では、光線Ｌが、鏡筒２の開口４ａに進入し、第１のレンズ素子１０を透過して第２のレンズ素子２０内を進み、第２のレンズ素子２０の像側面で反射されてコバ部２２に向かう。すると、この光線Ｌが、さらに第２のレンズ素子２０のコバ部２２から第３のレンズ素子３０のコバ部３２に進むが、第４のレンズ素子４０の遮光部４６に進路を遮られて撮像センサＳに到達することはない。一方、図４（ｃ）に示すように、第４のレンズ素子４０に遮光部４６が設けられていない撮像レンズユニット８０１では、光線Ｌが撮像センサＳまで到達して、ゴーストやフレアが発生してしまう。
【００４２】
また、図４（ｂ）に示すように、本実施形態の撮像レンズユニット１では、光線Ｌが、鏡筒２の開口４ａに進入し、各レンズ素子を透過して撮像センサＳまで進み、撮像センサＳの撮像面で反射されて、第５のレンズ素子５０を透過して、第４のレンズ素子４０のコバ部４２に向かうが、第４のレンズ素子４０の遮光部４６に進路を遮られて第３のレンズ素子のコバ部３２に進むことはない。一方、図４（ｄ）に示すように、第４のレンズ素子に遮光部４６が設けられていない撮像レンズユニット８０１では、光線Ｌが、第３のレンズ素子３０のコバ部３２および第２のレンズ素子２０のコバ部２２を経由して、再度、撮像センサＳまで到達して、ゴーストやフレアが発生してしまう。
【００４３】
以上より、本実施形態の撮像レンズユニット１によれば、第４のレンズ素子４０のコバ部４２の環状段部４３、すなわち、第３のレンズ素子３０との当接部に遮光部４６を均一の厚さで形成することができる。そのため、レンズ素子の位置合わせ精度を低下させることなく、当接部を透過する不要光を遮ることができる。これにより、レンズ素子間の光軸合わせの精度を維持するとともにゴーストやフレアの発生を効果的に抑制できる。また、遮光部４６に蒸着工法を採用することで、量産性を高めることができる。
【００４４】
上記に本発明の実施形態を説明したが、本発明はこれらの例に限定されるものではない。前述の実施形態に対して、当業者が適宜、構成要素の追加、削除、設計変更を行ったものも、本発明の要旨を備えている限り、本発明の範囲に含まれる。
【００４５】
（性能評価）
次に、本発明の撮像レンズユニットの実施例１〜３および比較例１を作成して、結像性能（遮光性）および信頼性について評価を行った。
【００４６】
（実施例１）
上述した実施形態の撮像レンズユニット１において、遮光部４６を以下の構成とした。
チタン層４６１ａ    ：ＴｉＯ２の蒸着膜
クロム層４６１ｂ    ：Ｃｒの蒸着膜
チタン層４６１ｃ    ：ＴｉＯ２の蒸着膜
【００４７】
（実施例２）
上記実施例１において、遮光部４６に代えて、図３（ｂ）に示す５層構成の遮光部４６Ａを採用し、遮光部４６Ａを以下の構成とした。
シリコン層４６２ａ  ：ＳｉＯ２の蒸着膜
チタン層４６１ａ    ：ＴｉＯ２の蒸着膜
クロム層４６１ｂ    ：Ｃｒの蒸着膜
チタン層４６１ｃ    ：ＴｉＯ２の蒸着膜
シリコン層４６２ｂ  ：ＳｉＯ２の蒸着膜
【００４８】
（実施例３）
上記実施例１において、遮光部４６に代えて、単層のチタン層からなる遮光部を採用し、この遮光部を以下の構成とした。
チタン層        ：ＴｉＯ２の蒸着膜
【００４９】
（比較例１）
上記実施例１において、遮光部４６を省略した以外は上記実施例１と同一の構成とした。
【００５０】
（結像性能評価試験）
実施例１〜実施例３および比較例１の撮像レンズユニットを、赤外線カットフィルターおよび撮像センサと組み合わせてカメラユニットを構成し、このカメラユニットで撮像した画像のゴーストの有無を確認した。判定基準を以下に示す。
◎・・・ゴーストまたはフレアの発生なし
×・・・ゴーストまたはフレアの発生あり
【００５１】
（信頼性評価試験）
実施例１〜実施例３の撮像レンズユニットに対し、高温高湿放置試験（８５℃−９０％ＲＨ−５００時間）、および低温放置試験（−４０℃−５００時間）を実施し、遮光部の劣化の有無、および結像性能（ゴースト、フレアの発生）について確認した。判定基準を以下に示す。
◎・・・遮光部の剥離なし、および結像性能に影響するゴースト、フレアの発生なし
○・・・遮光部に結像性能に影響しないわずかな剥離あり
×・・・遮光部に結像性能に影響する剥離あり
【００５２】
総合評価の判定基準を以下に示す。
◎・・・結像性能および信頼性ともに良好（◎）
○・・・結像性能および信頼性について不良（×）はないが、可（○）を含む
×・・・結像性能および信頼性について不良（×）を含む
また、総合評価結果を表１に示す。
【００５３】
【表１】
2018146878.tif 000003
【００５４】
表１から明らかなように、実施例１および実施例２については、結像性能および信頼性がともに良好であり、高温高湿および低温の環境下においても長期間にわたって良好な結像性能を得ることができた。また、実施例３についても、良好な結像性能を得ることができた。一方、比較例１については、ゴーストの発生を抑制することができず、良好な結像性能を得ることができなかった。このように、評価結果からも本願発明の作用効果が明らかとなった。
【符号の説明】
【００５５】
１…撮像レンズユニット
２…鏡筒
３…周壁部
４…前壁部
４ａ…開口
４ｂ…受け面
５…固定部材
７…レンズアセンブリ部
１０…第１のレンズ素子
２０…第２のレンズ素子
３０…第３のレンズ素子
４０…第４のレンズ素子
５０…第５のレンズ素子
１１、２１、３１、４１、５１…レンズ部
１２、２２、３２、４２、５２…コバ部
１３…当接面
２３、３３、４３、５３…環状段部
１４、２４、３４、４４、５４…環状段部
２３ａ、３３ａ、４３ａ、５３ａ…円錐状傾斜面
１４ａ、２４ａ、３４ａ、４４ａ、５４ａ…円錐状傾斜面
２３ｂ、３３ｂ、４３ｂ、５３ｂ…円環状平面
１４ｂ、２４ｂ、３４ｂ、４４ｂ、５４ｂ…円環状平面
４６、４６Ａ、４６Ｂ…遮光部
４６１ａ、４６１ｃ、４６１ｅ…チタン層
４６１ｂ、４６１ｄ…クロム層
４６２ａ、４６２ｂ…シリコン層
６０…遮光板
Ｐ…光軸
Ｆ…赤外線カットフィルター
Ｓ…撮像センサ
Ｌ…光線
【図１】
2018146878.tif 000004
【図２】
2018146878.tif 000005
【図３】
2018146878.tif 000006
【図４】
2018146878.tif 000007